(57)【要約】【課題】  造花又はドライフラワー、例えばブリザーブドフラワー等のブーケホルダーの把手部を屈曲可能にしたブーケ支持具、及びこれを用いたブーケの製造方法を提供することである。【解決手段】板体状の台座を屈曲容易な線状物、あいは蛇腹構造等からなる把手部芯材で支持し、この台坐上に樹脂製剣山を一体に装着してなり、その後に剣山部材に茎を短尺に切断したドライフラワー、造花等を一輪ごとに多数、多様の花、葉等を差し込みブーケを構成してブーケの花面の視覚角度を把手部を屈曲することにより自由に選択でき、かつ設置場所に応じて把手部を任意に屈曲変形して装着部位の用途拡大を図り、しかも高価なブーケスタンド等の使用を排除でき、その上、結婚式等の後のブーケの有効活用期間の延長、及び設置場所の選択幅を広げたブーケ支持具、及びこれを用いたブーケの製造方法を提供する。【選択図】図１
2007130430.tif 000002
【特許請求の範囲】
【請求項１】
板体状の台座と，該台座と屈曲可能な把手部芯材とを一体に構成したことを特徴とするブーケ支持具。
【請求項２】
台座が円形、楕円形、その他の多角形状に形成すると共に、その中心部に開口を穿設したことを特徴とする請求項１記載のブーケ支持具
【請求項３】
開口を穿設せず、又は開口を穿設した台座に把手部芯材をモールデングにより一体に固定したことを特徴とする請求項１又は請求項２記載のブーケ支持具。
【請求項４】
把手部の少なくとも根本部の把手部芯材、または化粧材の外周を線材、若しくは化粧テープで結束したことを特徴とする請求項１，請求項２，請求項３記載のいずれかであるブーケ支持具。
【請求項５】
板状体からなる台座裏面に設けた突起部に蛇腹構造の把手部芯材を装着したことを特徴とするブーケ支持具。
【請求項６】
板体状で、中心部に開口を穿設した台座と、該開口に一本の構成線材を折り曲げて変形Ｕ字状に屈曲し、更にＵ字状部を含む端部をＬ字状に屈曲してＵ字状部を変形して形成した狭持辺部と、該台座に載置する脚部上辺を上記Ｌ字状の水平部で形成すると共に、他端を含む脚部下辺を上記開口に貫通し、また上記狭持辺部をＵ字状に折り曲げて構成線材が台座を狭持する工程をそれぞれ多数本繰り返して把手部芯材を構成し、該台座上に対し、底面に上記脚部上辺の配置に対応して設けた収納溝を有する剣山部材を載置して一体に装着してなり、その後、該剣山部材を離脱防止部材で台坐に設け、前記把手部芯材の外周を化粧材で被覆して屈曲可能な把手部を形成すると共に、剣山部材に花、葉等を差し込んでブーケを製造したことを特徴とするブーケの製造方法。
【請求項７】
板体状の台座と屈曲可能な把手部芯材の構成を多数本の線材をモールデングで一体化し、該台座上に剣山部材を載置し、次に離脱防止材で剣山部材を固定した後、剣山部材に花、葉等を差し込み、前記把手部心材の外周を化粧材で被覆したことを特徴とする請求項６記載のブーケの製造方法。
【発明の詳細な説明】
【技術分野】
【０００１】  本発明は、造花、ドライフラワー、例えばプリザーブドフラワー等からなる花、葉等を有する剣山部材を装着する台座と屈曲可能な把手部芯材とを一体に構成したブーケ支持具、及びこれを用いたブーケの製造方法に関するものである。
【背景技術】
【０００２】  造花、ドライフラワー（以下、単にドライフラワーという）からなるブーケは、図１０に示すようにブーケホルダー（支持具）Ａと、このホルダーに装着されれた樹脂製の剣山部材Ｂと、剣山部材Ｂを保持するネット状のような離脱防止材Ｃとからなり、さらに説明するとホルダーＡは主に樹脂製パイプからなる把手部Ｄと、把手部Ｄの先端に任意角度で一体に設けたお椀状の剣山部材装着部Ｅと、剣山部材装着部Ｅに配置する樹脂製の剣山部材Ｂと、この剣山部材Ｂが剣山部材装着部Ｅから離脱するのを阻止すると共に、装着が着脱自在、、又は固定構造の離脱防止材Ｃとを一体に構成したものが知られている。（例えば、文献１）【０００３】  また、図示しないがドライフラワーは、各花、葉等を任意長さの線状の茎（ワイヤー）に連結して１本の花等を構成し、その後、このような花を多数本まとめて花束とし、その花束の把手部となる線材の束の外周を化粧テープで巻回してブーケに構成したもの、あるいは、造花では、ホルダー付き枠体等に造花を各１本ずつ差し込みブーケを構成したものが普通である。【０００４】
【文献１】
月刊誌  （ＦＬＯＷＥＲ  ｄｅｓｉｇｎ  発行所  株式会社パッチワーク通信社）
【発明の開示】
【発明が解決しようとする課題】
【０００５】  しかしながら、約１年〜数年間と使用期間の長いこの種、ドライフラワーからなるブーケを居間等に飾るブーケ支持具は、上記のようにいずれも棒状の把手部と剣山部材装着部からなり、この把手部は手で握りやすいマイク等の太さ、長さ、剛性に形成されていため、把手部の変形ができず人間が持つ以外、高価なブーケホルダースタンドへ入れて、飾る必要があった。さらに、花等を一輪ごとに把手部となる長手の茎を多数本テープ等で巻回して一体に形成したブーケも知られている。【０００６】  また、例えば、結婚式後にこのブーケをリユースする場合、上記のように居間にブーケスタンド、或いは壁に飾るには特別な支持具を設置しなければならない。これは把手部が剛性のある構造に構成されているためであり、しかもブーケ花面の外観の角度は任意に変更できない不利もあった。勿論、任意角度でブーケを飾るには別のブーケホルダを購入してブーケ部分を入れ替えて設置する必要があった。さらに、ブーケを壁に飾る合は、壁面に別の備品を設け、かつブーケホルダーに加工を施して設置するため、ブーケを飾る場所が大幅に制限されるばかりでなく、壁に細工する等の煩雑となる問題があった。【０００７】  新規なドライフラワーからなるブーケを花瓶にブーケの花面を真上に設置する場合は、ブーケを例えば、樹脂製のブロック体等の装着体に固定し、これを花瓶の底部に設置する方法があるが、再度、装着体をわざわざ取り付け無ければならない不利があった。
【課題を解決するための手段】
【０００８】  本発明はこのような欠点を除去するため、剣山部材の底面に台座を一体に設け、この台座と屈曲可能な把手部芯材とを一体に構成したブーケ支持具と、この支持具を用いたブーケの製造方法を提供するものである。
【発明の効果】
【０００９】  本発明に係るブーケ支持具及び、この支持具を用いたブーケの製造方法によれば、剣山部材とブーケ支持具とを個別に形成したため、剣山部材を半球状、多角形状、楕円形等の任意形状に形成でき、花面のデザインが広がり、用途を大幅に拡大できる。
また、ブーケ支持具は板状体の台座と屈曲可能な線材からなる把手部芯材とを個々に形成した後、装着して一体に構成し、もしくは最初から一体に形成する構造としたため把手部がスッキリと、しかも把手部は誰でもが屈曲可能な構造のためブーケの花面の角度をいつでも簡単に用途、気分に応じて任意の角度に変形できる。【００１０】  さらに、ブーケ支持具の把手部が屈曲するため、係止部材、例えば網状物、フック、棒状物、小さな穴等があれば、支持具の把手部をマッチさせて屈曲、挿入すれば容易に、かつ着脱可能に係止、装着でき、居住空間等をさわやかな雰囲気にブーケを飾ることができる。また、花瓶にブーケを飾る際は、支持具の把手部をリング状等の安定形状に形成して花瓶の底に配置すれば、任意角度で花面を見せられる。その上、把手部は屈曲できるためブーケの運搬に運送容器を小さくでき、運賃の低減し、かつ、ブーケを破損することも少なくなり、しかも在庫場所は最小限に抑えられ、倉庫の維持費の削減も計れる。【００１１】  本発明に係るブーケの製造方法によれば、デザインするブーケに応じて、剣山部材、台座の大きさ、形を任意に選択できるためブロック状、板体状の大きな原材料を用意すれば良く、コストダウンが図れ、しかも注文される用途に容易に対応できる。さらに、ブーケ支持具の把手部は長さ、太さを任意に選択できるため、新規、リユースの用途に応じて設定できる。また、キットを購入すれば、素人でも容易に自分流のブーケを製造できる特徴がある。
【発明を実施するための最良の形態】
【００１２】  以下に、図面を用いて本発明に係るブーケ支持具と及びこれを用いたブーケの製造方法の一実施例について詳細に説明する。図１は本発明に係るブーケ、花束等１の全体を示す一部切り欠き断面図を示すものであり、図２に示すブーケ支持具２は例えば、図３に示す台座（板体状状）３と多数本の線材からなる図４に示す把手部芯材５とを一体に構成したものである。【００１３】  さらに詳細に説明すると、台座３は剣山部材９と剣山部材９が台座３からの離脱を阻止する離脱防止材１１を一体に装着するものであり、その材質は強度、加工性、耐久性、軽さから樹脂製の板体状のものを用いる。また、形状としては、例えば図３（ａ）〜（ｃ）に示すように形成したものであり、図（ａ）は円形状  、図（ｂ）は楕円形状、図（ｃ）は多角形、ここでは５角形を示し、台座３の中心部には把手部芯材５を貫通させる、例えば円形、多角形、楕円形状等の開口４を穿設する。勿論、台座３はブーケの形状、例えばドーム形、ハート形、円錐形、ピラミッド形等に応じた形に板体を変形させた形状とすることもできる。【００１４】  把手部心材５は全体としても屈曲可能であり、かつ女性でもある程度の力で、容易に屈曲できる強度を有し、その上、保形性を維持できる剛性の線状物を用いる。具体的な材質の一例としては金属製、例えばアルミニューム線材、その合金線材、鉄線材、樹脂製で芯材として細い金属線がモールデイングされたもの等を用いる。なお、金属線材には外周を樹脂で被覆された線材もある。さらに、ブーケの大きさにより、把手部芯材５の本数は、例えば３本〜１５本程度であり、その外周を後記する化粧テープ、結束具等で巻回して把手部１２を構成するのに役立つ。【００１５】  また、把手部芯材５の構成材は１本の線材の形状、例えば図４に示すように１本の線材の中心部を折り返して端部をＵ字状に形成した狭持辺部６と、台座３に安定に載置する脚部上辺７と把手部１２の心材として機能する２本の脚部下辺８とから構成したものである。勿論、脚部下辺８は原則、左右が同じ長さであるが、必要により長短に形成することもできる。これを台座３に装着するには、脚部下辺８を開口４に貫挿し、その後、図４において矢印のように屈曲して狭持辺部６を形成すると共に、図２のイーイ線で断面して図５に示すように台座３を離脱無く確実に挟持し、台座３と一体化する。なお、図２に示すブーケ支持具２では、これを３回繰り返して６（線材は３本）本からなる把手部芯材５を骨格とした場合である。また、結束具５ａは、把手部芯材５の外周を線材、またはテープ材等からなり、把手部芯材５の結束時、若しくは後記する化粧材を巻回した後で把手部１２の少なくとも根本部分を結束し、芯材に強度を付加する。【００１６】  剣山部材９は、花、又は葉αを差し込む構造の茎βのワイヤーが簡単に差し込め、かつ離脱しにくいものであり、一般的にフェノール樹脂、ウレタン樹脂、ポリスチレン樹脂等の発泡体からなり、形状はドーム形、リング形、ブロック形等、目的に応じて加工したものであり、図１ではドーム形状の場合を示す。【００１７】  また、剣山部材９の裏面９ａには、図６に示すように脚部上部７を納める収納溝１０を把手部芯材５の構成材分だけ設ける。これは剣山部材９が台座３上に安定に載置、又は固定するためである。【００１８】  離脱防止材１１は剣山部材９が台座３から離脱するのを阻止するものであり、剣山部材９の外周を大まかに囲い、花、葉αが剣山部材９に差し込むのに支障のない、枠、編目等に構成する。また、離脱防止材１１を台座３に装着するには接着剤による固定、もしくは嵌合、もしくは狭持、螺合等の装着構造のいずれかを選択して固定する構成としたものである。【００１９】  把手部１２は把手部芯材５とその外周を化粧テープ等の化粧材１３で例えば多数、巻回して一体に構成し、かつ把手部１２が工具を使用せずとも屈曲可能な可堯性があり、その上、任意形状に屈曲した後にその形状を維持する剛性を有するものでる。把手部１２は結婚式等において把手部１２として機能し、それ以外では任意形状、長さに屈曲してフックや壁掛け材等への係止具、又は花瓶底部では円形状に屈曲して装着台として用いる。【００２０】花α、茎βは剣山部材９に花束、ブーケとしてのデザインに合わせて差し込み、目的の外観の花束、ブーケ１を製作し、その後、必要によりフリール１４を装着してブーケ１を完成する。【００２１】  次にこれを用いたブーケの製造方法の一実施例について詳細に説明すると、ここではブーケ支持具２は、上記の行程で形成されていると仮定する。そこで、図６に示すように剣山部材９の裏面９ａを把手部芯材５の脚部上辺７と対面する部分の大きさに切り欠き収納溝１０をそれぞれの本数に応じて形成する。これは、把手部芯材５の構成線材が台座３から突出しているためその不具合を解消し、安定に剣山部材９を装着するのに役立つ。【００２２】  そこで、剣山部材９は、台座３上に上記収納溝１０を合致させて載置し、次に離脱防止材１１を台座３に装着してこれらを一体化する。なお、この際、剣山部材９は台座３に図示しない接着剤等で一体に固定する場合もある。また、剣山部材９は接着剤で台座３に固定しない場合は、台座３，剣山部材９はリユースすることも可能である。この剣山部材９に必要な茎付き花αを差し込み、次に構成線材をまとめた把手部芯材５の外周に化粧材１３、例えば化粧テープを必要回数だけ巻回し、台座３近傍の把手部芯材５の根本を結束具５ａで結束して把手部１２を形成する。さらに、フリール１４は目的に応じて装着し、かつ装着も台座３、または剣山部材９の裏面に装着することも可能である。【００２３】  以上説明したのは本発明に係るブーケ支持具、及びこれを用いたブーケの製造方法の一実施例にすぎず、支持具２を図７（ａ）〜（ｄ）に示すように形成することもできる。即ち、図７（ａ）は把手芯材５の各構成材の線材を台坐３上に接着剤か、機械的に固定した場合であり、この際は狭持辺部６は形成する必要がない。図（ｂ）は図２に示す支持具２に低発泡のクッション材１５を固定して剣山部材９の収納溝１０の加工を除去した場合である。図（ｃ）は台座３の外周側面３ａ、を把手部芯材５の線材で狭持、又は接着剤を介して一体化した場合である。なお、図示しないが台座３に装着穴を穿設した場合は、狭持辺部６の変形を差し込み、台座３を装着することもできる。図（ｄ）は台座３の裏面３ｂに取り付け穴を把手芯材５の端部数だけ設け、これに把手部芯材５の各構成線材の先端を嵌挿して固定したものである。【００２４】  さらに、ブーケ支持具２の構成は、図８（ａ）〜（ｃ）に示すように構成することもできる。即ち、図（ａ）〜（ｃ）は把手部芯材５を図３に示すような形状の台座３、もしくは平板状の台座３と一体にモールデングしたものであり、図９（ａ）〜（ｃ）に示すように台座３の下面３ｂに把手部芯材５を装着する突起状の取り付け部３ｃを設け、この取り付け部３ｃに把手部芯材５の先端を係止したり、（ｃ）に示すように蛇腹構造の把手芯材５ａを有するブーケ支持具２とすることもできる。【００２５】ブーケの製造方法において、図８に示す台座３を用いた場合は、剣山部材９の裏面９ａに収納溝１０を設ける必要が無く、直接に台座３に載置して装着、或いは固定し、その後に離脱防止材１１を台座３に装着することもできる。
【図面の簡単な説明】
【００２６】
【図１】本発明に係るブーケ支持具、及びこれを用いたブーケの製造法の一実施例を示す一部切り欠き断面図である。
【図２】本発明に係るブーケ支持具の一実施例を示す説明図である。
【図３】本発明に係るブーケ支持具の要部の台坐の一実施例を示す説明図である。
【図４】本発明に係るブーケ支持具の把手部芯材の構成線材を示す説明図である。
【図５】本発明に係るブーケ支持具の一実施例を示す断面図である。
【図６】本発明に係る剣山部材の一実施例を示す斜視図である。
【図７】本発明に係るブーケ支持具のその他の実施例を示す説明図である。
【図８】本発明に係るブーケ支持具の一例を示す説明図である。
【図９】本発明に係るブーケ支持具の一例を示す説明図である。
【図１０】従来から使用されているブーケ支持具の一例を示す説明図である。
【符号の説明】
【０００２７】    １    ブーケ
２    ブーケ支持具
３    台座
４    開口
５    把手部芯材
５ａ  結束具
６    狭持辺部
９    剣山部材
１０  収納溝
１１  離脱防止材
１２  把手部
１３  化粧材
１４  フリール
α    花、葉
β    茎
【図１】
2007130430.tif 000003
【図２】
2007130430.tif 000004
【図３】
2007130430.tif 000005
【図４】
2007130430.tif 000006
【図５】
2007130430.tif 000007
【図６】
2007130430.tif 000008
【図７】
2007130430.tif 000009
【図８】
2007130430.tif 000010
【図９】
2007130430.tif 000011
【図１０】
2007130430.tif 000012